(57)【要約】      （修正有）【課題】粒子径の細かい泡を作り出すことができるとともに、操作性に優れ、小型、低コストな泡生成器を提供する。【解決手段】キャップ８に連結する支柱６の所定位置に、支柱を挟んだ両側に軸５を形成し、複数の貫通穴を有する複数枚の回転羽根をそれぞれの軸に配置し、回転羽根を同時に、同一方向への回転を可能にするとともに、少なくとも１枚の回転羽根に強磁性体７またはマグネット１２を取り付けて泡生成ユニットを構成する。容器本体外面には、回転羽根に取り付けた強磁性体またはマグネットとの間で磁力吸引可能な位置に、磁力吸引可能な組み合わせとなる強磁性体またはマグネットを装着した回転プレート１１を構成し、キャップを容器本体に装着した状態で、回転プレートを電動モーター１５または手動で回転駆動させる。【選択図】図１
0003209380.tif 000002
【実用新案登録請求の範囲】
【請求項１】
湯水、洗剤、泡、を収容する容器本体と、回転羽根を回転させて細かい粒子の泡を生成する泡生成ユニットで構成する泡生成器に関して、キャップに連結する支柱の所定位置に、支柱を挟んだ両側に軸を形成し、複数の貫通穴を有す複数枚の回転羽根をそれぞれの軸に配置し、回転羽根を同時に、同一方向への回転を可能にするとともに、少なくとも１枚の回転羽根に強磁性体またはマグネットを取り付けて泡生成ユニットを構成するとともに、容器本体外面に、回転羽根に取り付けた強磁性体またはマグネットとの間で磁力吸引可能な位置に、磁力吸引可能な組み合わせとなる強磁性体またはマグネットを装着した回転プレートを構成し、キャップを容器本体に装着した状態で、回転プレートをモーターなどによる電動または手動で回転駆動させることにより、回転羽根が磁力により吸引回転する泡車。
【請求項２】
キャップに連結する支柱に容器本体の内寸より小サイズで、かつ湯水、洗剤を貫通するための小穴、細スリットなどを形成したクレーパーを備える、請求項１に記載する泡車。
【考案の詳細な説明】
【技術分野】
【０００１】本考案は、液体石鹸や粒状石鹸などの石鹸類や洗顔料などの洗浄剤を用いて泡を作りだす際に使用される洗浄剤用の泡生成器に関するものである。
【背景技術】
【０００２】洗浄剤を用いて肌を洗浄する際には、皮膚の表面の汚れを有効に除去するために洗浄剤から生成した泡を用いることが推奨されており、手動、電動などによる多くの泡生成器が実用化されているが、手動のものはネットを用いる方法、多数の貫通穴を開けた昇降板を上下させて昇降板と蓋との間の圧縮を利用する方法、ポンプ形式で空気を加圧する方法などがあり、電動のものはポンプ式が主流になっているが、それぞれに課題を抱えている。
【考案が解決しようとする課題】
【０００３】泡の生成方法で、ネットを用いる場合は粒子径の細かい泡を作り出すことには難点があり、また手で揉む動作が人によっては煩わしく使い勝手が悪い。昇降板を上下させる方法に関しても上下動が煩わしく使い勝手が悪いとともに、電動化が困難、かつ一枚の昇降板に所要数の貫通穴を開ける構造のため昇降板の小型化は困難であり容器の小型化が難しい。ポンプ形式や電動タイプは構造が複雑で大型でコストが高価であるなど、それぞれに課題を有しているため、泡の生成に対して操作性に優れ、小型、低コストな新規の泡生成器を提供する。
【課題を解決するための手段】
【０００４】キャップに連結する支柱の所定位置に、支柱を挟んだ両側に軸を形成し、複数の貫通穴を有す複数枚の回転羽根をそれぞれの軸に配置し、回転羽根を同時に、同一方向への回転を可能にするとともに、少なくとも１枚の回転羽根に強磁性体またはマグネットを取り付けて泡生成ユニットを構成するとともに、容器本体外面に、回転羽根に取り付けた強磁性体またはマグネットとの間で磁力吸引可能な位置に、磁力吸引可能な組み合わせとなる強磁性体またはマグネットを装着した回転プレートを構成し、キャップを容器本体に装着した状態で、回転プレートをモーターなどによる電動または手動で回転駆動させる。
【考案の効果】
【０００５】泡を形成するための貫通穴を複数の回転羽根に形成するため、泡生成に必要となる総貫通穴数を回転羽根の枚数で分割した数の貫通穴をそれぞれの回転羽根に形成すれば良いため、回転羽根の枚数を増やすことにより回転羽根の面積を小さく出来、容器本体が小型化される。また、泡の生成に対して回転羽根を手動または自動で操作して回転させるため、操作性が良く煩わしさが無いため使い勝手が良い。さらに、構成が極めてシンプルなため低コスト化が可能である。更に、生成された泡を取り出す場合に回転羽根を本体から取り出すことにより容器内の全ての泡を取り出すことが出来るとともに、泡生成ユニット、ならびに容器本体の洗浄も極めて容易である。
【考案を実施するための形態】
【０００６】本考案による構造は、容器本体に泡を生成する元となる湯水や洗剤などを注入し、容器本体の底に溜めるが、洗剤などは湯水に溶かすか回転羽根の先端部の貫通穴に塗布することも可能で、この状態で回転羽根が回転すると回転羽根の先端部や先端部にある貫通穴は湯水に浸かり、湯水を通過して、湯水から出る回転を繰り返す。この動きにより洗剤などは湯水に溶かされるとともに、湯水に浸かった貫通穴が湯水から出るときにシャボン玉状に泡を生成し、回転羽根の回転を繰り返すごとに泡が多くなり、生成された泡が回転羽根の貫通穴を再通過することにより小さな泡が生成される。
【０００７】図１に本考案による電動泡車の構成概念図を示す。キャップに連結される支柱６を挟んで両側に軸５が形成され、両側の軸に４枚ずつの回転羽根１，２，３，４が２組み構成されており、これらの回転羽根は軸とともに回転可能であり、回転羽根の少なくとも１枚には強磁性体７が取り付けられて泡生成ユニットを構成している。キャップ、支柱、回転羽根などは樹脂材で形成され、強磁性体はＳＵＳ４３０や鉄などで形成される。湯水、洗剤、泡、を収容する容器本体１６の外面にはモーター１５の回転を伝達する駆動プレート１３を介して駆動ベルト１４により回転する回転プレート１１が構成され、回転プレート１１には、回転羽根に取り付けた強磁性体と磁力で吸引する位置にマグネット１２が配置され、回転プレートの回転により回転羽根は磁力により吸引回転する。駆動プレート、回転プレートは樹脂材で形成し、駆動ベルトはゴム材で形成する。マグネットは磁力の強いネオジュウム磁石などで構成する。
【０００８】図２は回転羽根などで形成する泡生成ユニットの概念図を示す。本実施例に於いては回転羽根８枚の例を示すが、回転羽根のサイズ、枚数は貫通穴の合計個数と泡生成の効率により決定し、貫通穴のサイズも泡の生成効率により決定する。図３は本考案に基づく手動泡車の構成概念図を示す。基本構成は電動泡車と同じであるが回転プレートの駆動が手動であり回転摘み１８を指で摘まんで回す方式である。図４は請求項２に記載する、容器本体からキャップを引き出すと同時に生成された泡を取り出すためのクレーパ１９の構成概念図を示す。クレーパー１９は支柱に連結され、キャップを閉じた状態で容器本体の底部に入れられた湯水、洗剤などが貫通して回転羽根に届くための小穴２０または細スリットなどが形成されたプレートであり、小穴や細スリットなどは湯水、洗剤などは通すが泡は泡同士の結合により通らないため、キャップを引き出すと同時に生成された泡を取り出すことが出来る。本考案は、泡の生成に対して回転羽根を手動または自動で操作して回転させるため、操作性が良く煩わしさが無いため使い勝手が良い。さらに、構成が極めてシンプルなため低コスト化が可能である。更に、生成された泡を取り出す場合に回転羽根を本体から取り出すことにより容器内の全ての泡を取り出すことが出来るとともに、泡生成ユニット、ならびに容器本体の洗浄も極めて容易である。
【実施例】
【０００９】キャップ、容器本体は透明なポリカーボネートで形成し、容器本体の泡収納サイズを幅×厚×高を５０×６０×１００ｍｍ、内容積を約３００ｍｌとした。回転羽根は２３×２８ｍｍ、厚１．５ｍｍを８枚としＡＢＳ樹脂で構成し、貫通穴をφ３．０ｍｍとした。クレーパーは容器本体に適合する半円弧状，厚１．５ｍｍ、ＡＢＳ樹脂プレートで、φ２ｍｍの小穴を形成して支柱に嵌め込む構成とした。回転羽根には強磁性体のＳＵＳ４３０を取り付け、回転プレートにはネオジュウム磁石を回転羽根の強磁性体と相互に重なる位置で近接する位置に配置し、モーターは小型の直流モーターを使用した。【００１０】回転羽根と回転プレートの両方をマグネット、または回転羽根をマグネット、回転プレートを強磁性体で構成しても良い。貫通穴はφ２〜φ５ｍｍ程度、回転羽根の枚数は貫通穴の数、容器本体サイズ見合いで適切に選ぶことが出来る。マグネットは磁力を満たせばサマリウムコバルト磁石、フェライト磁石などでも良い。また回転プレートと駆動プレートの連結はベルトに限らずギヤなどでも良く、クレーパーは支柱に着脱可能、または一体でも良い。さらに本体容器に注入する湯水の高さをガイドするマーカーラインを表示するなど、機能、性能、外観、使用する素材、ディメンジョンなどに関しては本考案の趣旨を逸脱しない範囲であれば種々変形実施が可能である。
【図面の簡単な説明】
【００１１】
【図１】本考案に基づく電動泡車の構成概念図を示す
【図２】回転羽根などで形成する泡生成ユニットの概念図を示す
【図３】本考案に基づく手動泡車の構成概念図を示す
【図４】クレーパーを支柱に連結した泡生成ユニットの概念図を示す
【符号の説明】  １．回転羽根                    １１．回転プレート
２．回転羽根                    １２．マグネット
３．回転羽根                    １３．駆動プレート
４．回転羽根                    １４．駆動ベルト
５．軸                          １５．モーター
６．支柱                        １６．電池
７．強磁性体                    １７．容器本体
８．キャップ                    １８．回転摘み
９．キャップ摘み                １９．クレーパー
１０．回転羽根回転方向            ２０．小穴
【図１】
0003209380.tif 000003
【図２】
0003209380.tif 000004
【図３】
0003209380.tif 000005
【図４】
0003209380.tif 000006
【手続補正書】
【提出日】平成28年12月12日(2016.12.12)
【手続補正１】
【補正対象書類名】実用新案登録請求の範囲
【補正対象項目名】請求項２
【補正方法】変更
【補正の内容】
【請求項２】
キャップに連結する支柱に容器本体の内寸より小サイズで、かつ湯水、洗剤を通すための小穴、細スリットなどを形成したクレーパーを備える、請求項１に記載する泡車。